(57)【要約】【課題】  イベントに参加した参加者が、そのイベントで記念品を授与さるような活躍を行っても、その活躍の記録は記念品とは別に保管する必要があった。【解決手段】  記念品注文端末、当該記念品注文端末からの記念品の注文を受け付ける受注処理装置、前記記念品注文端末から送信された前記イベントに関する画像データを記憶する画像データ記憶手段、及び受注処理装置からの命令に基づいてバーコードプレートの作製を行うバーコードプレート作製装置を備え、受注処理端末に記憶された利用者の利用者特定情報に基づいて、選択された記念品の発送と、画像データ記憶手段に記憶された画像データの画像データ特定情報を含むバーコードイメージが付加されたバーコードプレートを発送することができる記念品の注文システム。【選択図】  図４
2014222405.tif 000002
【特許請求の範囲】
【請求項１】
企画者が企画したイベントにおいて、前記イベントに参加した参加者に対して授与する記念品を注文するために用いられる記念品の注文システムであって、
入力手段を用いて情報を入力できる記念品注文端末、当該記念品注文端末からの記念品の注文を受け付ける受注処理装置、前記記念品注文端末から送信された前記イベントに関する画像データを記憶する画像データ記憶手段、及び受注処理装置からの命令に基づいてバーコードプレートの作製を行うバーコードプレート作製装置を備え、
前記画像データ記憶手段は、
受注処理装置から送信された画像データを記憶すると共に当該画像データを特定する画像データ特定情報を作成して受注処理装置へ送信する画像データ特定情報作成処理手段を備え、
前記受注処理装置は、
記念品注文端末から送信された利用者ＩＤを含む利用者特定情報を記憶する利用者情報記憶手段と、
記念品注文端末から送信された利用者ＩＤと利用者情報記憶手段に保存された利用者ＩＤとの一致を判断し、記念品の一覧画面を出力する記念品一覧出力指示手段と、
記念品注文端末から送信された利用者ＩＤと利用者情報記憶手段に保存された利用者ＩＤとの一致を判断し、画像データを指定するための画像データ入力画面を出力する画像データ入力画面出力指示手段と、
前記一覧画面において選択された記念品を特定する記念品情報を記憶する記念品情報記憶手段と、
前記画像データ入力画面において指定された画像データを、画像データ記憶手段に送信すると共に画像データ記憶手段から画像データ特定情報を受信する画像データ記憶指示手段と、
利用者特定情報及び記念品情報に基づき、選択された記念品の発送指示を出力する記念品発送指示手段と、
前記画像データ特定情報に基づいて、画像データ記憶手段に記憶された画像データに接続可能なバーコードイメージ情報を作成するバーコードイメージ作成手段と、
前記記念品情報に基づいて前記選択された記念品に取付可能な形状を備えると共に、前記バーコードイメージ情報に基づくバーコードイメージを有するバーコードプレートの作製指示を、バーコードプレート作製装置に与えるバーコードプレート作製指示手段と、
バーコードプレート作製装置からの作製完了通知を受けて、利用者特定情報に基づき、作製されたバーコードプレートの発送指示を出力するバーコードプレート発送指示手段とを有すること
を特徴とする記念品の注文システム。
【請求項２】
前記受注処理手段は、前記画像データを受信する以前に、記念品の授与を受けた参加者の情報である参加者特定情報を記念品注文端末から受信した場合には、前記利用者特定情報に参加者特定情報を追加して利用者特定情報記憶手段に記憶し、前記バーコードプレート発送指示手段は、参加者特定情報に基づき、作製されたバーコードプレートの発送指示を出力すること
を特徴とする請求項１に記載の記念品の注文システム。
【発明の詳細な説明】
【技術分野】
【０００１】
本発明は、記念会、若しくは競技会等のイベントにおいて、イベントの企画者が参加者に授与するための記念品の注文システムに関する。
【背景技術】
【０００２】
競技会等のイベントに参加した参加者は、優勝するなどのその競技会等に規定されている基準を達成することで優勝トロフィー等の記念品が授与される場合がある。当該記念品に授与を受けた参加者の名前などがイベントの名称と共に表示されていることにより、前記記念品は参加者がそのイベントで受賞等をした証明する効果や、参加者がそのイベントに参加したときの様子を思い出すことを助ける効果を備える。
【発明の概要】
【発明が解決しようとする課題】
【０００３】
しかし、従来技術における前記記念品を見ただけでは、その参加者が参加したイベントで、参加者がどのような活躍をして記念品を授与されるに至ったかなどの詳しい情報はわからない。参加者がイベントにおいてどのような活躍をしたかといった詳しい情報を写真等でアルバムに保管している場合、その情報を知るためには、前記アルバムを探し出してきて見ることが必要であり、必ずしも活動情報を知りたい時に即座に知ることができるとは限らなかった。
【０００４】
さらに前記アルバムは、記念品の授与を受けた時から時間が経つにつれて保管場所が不明になる場合も多く、記念品とは別にアルバムの管理も行う必要があり、管理の手間がかかっていた。また、記念品は展示棚等の常に人に見える場所に保管して、自己の活躍の証明として他人にも見てもらうことが目的であるのに対して、アルバムは通常他人に見える場所には保管するものではなく、両者を常に同じ場所に保管しておくことは現実的ではないという問題もあった。そして、以上に述べた課題は参加者が活躍した記録情報をデジタルデータ化して個人所有のパーソナルコンピュータ内に保管している場合であっても同様に存在する。
【課題を解決するための手段】
【０００５】
そこで、上記課題を解決する手段として本願発明に係る記念品の注文システムは、企画者が企画したイベントにおいて、前記イベントに参加した参加者に対して授与する記念品を注文するために用いられる記念品の注文システムであって、入力手段を用いて情報を入力できる記念品注文端末、当該記念品注文端末からの記念品の注文を受け付ける受注処理装置、前記記念品注文端末から送信された前記イベントに関する画像データを記憶する画像データ記憶手段、及び受注処理装置からの命令に基づいてバーコードプレートの作製を行うバーコードプレート作製装置を備え、前記画像データ記憶手段は、受注処理装置から送信された画像データを記憶すると共に当該画像データを特定する画像データ特定情報を作成して受注処理装置へ送信する画像データ特定情報作成処理手段を備え、前記受注処理装置は、記念品注文端末から送信された利用者ＩＤを含む利用者特定情報を記憶する利用者情報記憶手段と、記念品注文端末から送信された利用者ＩＤと利用者情報記憶手段に保存された利用者ＩＤとの一致を判断し、記念品の一覧画面を出力する記念品一覧出力指示手段と、記念品注文端末から送信された利用者ＩＤと利用者情報記憶手段に保存された利用者ＩＤとの一致を判断し、画像データを指定するための画像データ入力画面を出力する画像データ入力画面出力指示手段と、前記一覧画面において選択された記念品を特定する記念品情報を記憶する記念品情報記憶手段と、前記画像データ入力画面において指定された画像データを、画像データ記憶手段に送信すると共に画像データ記憶手段から画像データ特定情報を受信する画像データ記憶指示手段と、利用者特定情報及び記念品情報に基づき、選択された記念品の発送指示を出力する記念品発送指示手段と、前記画像データ特定情報に基づいて、画像データ記憶手段に記憶された画像データに接続可能なバーコードイメージ情報を作成するバーコードイメージ作成手段と、前記記念品情報に基づいて前記選択された記念品に取付可能な形状を備えると共に、前記バーコードイメージ情報に基づくバーコードイメージを有するバーコードプレートの作製指示を、バーコードプレート作製装置に与えるバーコードプレート作製指示手段と、バーコードプレート作製装置からの作製完了通知を受けて、利用者特定情報に基づき、作製されたバーコードプレートの発送指示を出力するバーコードプレート発送指示手段とを有することを特徴とする。
【０００６】
記念品は、トロフィー、カップ、楯、メダル、オブジェ、若しくは写真立てのいずれかであることが好ましい。
【０００７】
記念品注文端末に情報を入力する利用者は、イベントの企画者であることが好ましいが、記念品の授与を受ける権利を取得したイベントの参加者が記念品注文端末に情報を入力することとしても良い。なおイベントは、記念品の授与を受ける参加者にイベントの企画者自身が含まれるものであっても好ましい。この例としては、学生が自分達自身の学校卒業にあたってのイベントとして、前記学生が独自に記念会を企画する場合等が挙げられる。この場合、当該記念会の参加者の集合写真や個人写真等の画像データに接続可能なバーコードプレートを取り付けた記念品を作成して記念会の参加者である学生に授与することができ、さらに、記念会を企画者した学生自身も参加者として記念品の授与を受けることができる。
【０００８】
利用者特定情報には、利用者ＩＤが含まれており、さらに、利用者の氏名、及び所在地等の記念品及びバーコードプレートを発送する際の宛て先が特定できる情報が含まれている。また、利用者ＩＤには、利用者が自己を識別するために設定した識別符号、及び、前記識別符号とは別に利用者が設定したパスワードを含むものであることが好ましい。第三者に記念品情報及び画像データへの接続を防止するためである。
【０００９】
バーコードプレート作製装置は、受注処理装置からの命令に基づいて受信したバーコードイメージ情報をバーコードイメージに変換して、当該バーコードイメージを素材プレート上に付加してバーコードプレートを作製する。素材プレートは平坦な表面部を備える平板状のプレートであることが好ましく、金属、樹脂、若しくはガラスからなるものが好ましい。バーコードイメージは前記素材プレートの表面部に付加されるが、付加の手法としては印刷、金属プレス加工、エッチング、もしくはレーザーエッチング等を用いることができる。また、バーコードプレートは、熱可塑性樹脂を成型することによって表面にバーコードイメージを付加されたものであっても好ましい。バーコードプレートの作製が完了したバーコードプレート作製装置は、受注処理装置に対して作製完了通知を送信する。
【００１０】
作製されたバーコードプレートは、記念品自身、記念品の台座、記念品の枠、若しくは記念品とは別体に用意された記念品設置具の外表面のうち、それぞれの記念品に設定された取付部に取り付け可能に形成されることが好ましい。
【００１１】
記念画像データには、イベントの参加者がイベントで活躍している姿等を撮影した静止画像若しくは動画、またはそのいずれもが記録されている。
【００１２】
画像データ記憶手段から画像データ特定情報を受信した受注処理装置は、バーコードイメージ作成手段によって受信した画像データ特定情報をバーコードイメージ情報に変換する処理を行う。バーコードイメージ情報は、画像データ特定情報によって特定される画像データのネットワーク上における位置情報をバーコードイメージに変換可能なデジタル情報である。バーコードイメージは、例えば１次元バーコード、若しくは２次元バーコードであることが好ましい。
【００１３】
なお、バーコードイメージ情報には、画像データ特定情報と共に利用者ＩＤが組み入れられてなることがこのましい。バーコードイメージ情報に利用者ＩＤが組み入れられてなる場合、バーコード読取端末が画像データ記憶手段から画像データを取得する際に、画像データ記憶手段が画像データ特定情報と共に利用者ＩＤの照会を行って、利用者ＩＤの一致を確認しなければ画像データを出力しないこととすることによって、画像データ特定情報のみを取得した第三者に画像データを無断で閲覧されることを防止することができる。
【００１４】
また、前記記念品の注文システムにおいて、前記受注処理手段は、前記画像データを受信する以前に、記念品の授与を受けた参加者の情報である参加者特定情報を記念品注文端末から受信した場合には、前記利用者特定情報に参加者特定情報を追加して利用者特定情報記憶手段に記憶し、前記バーコードプレート発送指示手段は、参加者特定情報に基づき、作製されたバーコードプレートの発送指示を出力することを特徴とするものであっても好ましい。
【００１５】
本発明に係る記念品の注文システムがこのような構成を備えることによって、イベントの開催前に企画者があらかじめ記念品を注文して、発送された記念品を受け取ることができる。そして、イベント終了後においては、利用者ＩＤを元に記念品を授与された参加者が画像データを画像データ記憶手段に送信できると共に、参加者特定情報に基づいて発送されたバーコードプレートを参加者が直接受け取ることができるため、バーコードプレートを企画者から参加者に転送する手間を省略することができる。なお、参加者特定情報には、記念品の授与を受けた参加者の氏名、及び所在地等のバーコードプレートを発送する際の宛て先が特定できる情報が含まれている。
【００１６】
なお、参加者特定情報は、画像データ入力画面上において記念品注文端末から入力することが好ましい。これにより、参加者特定情報と画像データとを同時に受注処理手段に送信することができるからである。また、参加者特定情報は、利用者ＩＤによる照会を経た後であって、画像データを送信する前に、画像データ入力画面とは別に受注処理手段から出力された参加者特定情報入力画面において入力し、記念品注文端末から受注処理手段へ送信することとしても好ましい。画像データが送信される前に参加者特定情報が送信されて、参加者特定情報が利用者特定情報記憶手段に記憶されていれば、画像データと参加者特定情報が同時に送信される場合に比べて受注処理手段における記憶処理を円滑に行なうことができるからである。
【００１７】
また、参加者特定情報には、前記参加者の宛先が特定できる情報以外に、参加者が自己を識別するために設定した識別符号である参加者ＩＤを含むこととしても好ましい。参加者特定情報に参加者ＩＤを含むことで、受注処理手段がバーコードイメージ情報に参加者ＩＤを組み込むことが可能である。バーコードイメージ情報に参加者ＩＤが組み入れられてなる場合、バーコード読取端末が画像データ記憶手段から画像データを取得する際に、画像データ記憶手段が画像データ特定情報と共に参加者ＩＤの照会を行って、参加者ＩＤの一致を確認しなければ画像データを出力しないこととすることによって、画像データ特定情報のみを取得した第三者に画像データを無断で閲覧されることを防止することができる。さらに、利用者ＩＤが企画者によって設定されたものであった場合であっても、画像データ記憶手段が前記のように参加者ＩＤの照会及び一致を確認しなければ画像データを出力しないこととすることで、画像データの送信後において、企画者であっても画像データを無断で閲覧することはできなくなる。これにより、画像データの無断流出防止の確実性をより高めることができる。
【００１８】
画像データ特定情報の取得は、バーコード読取端末に具備されているバーコード読取部を用いて、バーコードプレートに形成されているバーコードイメージを撮像若しくは走査することによって前記バーコードイメージから構成されるバーコードイメージ情報を取得することによって行なうことができる。ここで、バーコード読取部はカメラ装置、若しくは走査光線の射出部及び感知部を備えた光走査装置であることが好ましい。また、バーコード読取端末はバーコードイメージからバーコードイメージ情報を取得し、バーコード読取端末内でバーコードイメージ情報が画像データ特定情報に変換可能であることが好ましい。バーコード読取端末が画像データ特定情報を取得ることによって、ネットワークを介して画像データ記憶手段にアクセスして、バーコードプレートと組み合わされた記念品の授与を受けたイベントに対応する画像データを自動的に読み出すことが可能である。読み出された画像データは、好ましくはバーコード読取端末若しくは記念品注文端末に設けられているディスプレイに出力されて表示される。
【発明の効果】
【００１９】
本発明によれば、製作されたバーコードプレートは、前記選択された記念品に取り付けて保管することができるため、バーコードプレートが取り付けられた記念品を手に取れば、その記念品が授与されたイベントに関する画像データを確実に閲覧することができる。
【００２０】
また、バーコードプレートが取り付けられた記念品を自宅の展示棚等に飾っておけば、画像データは別途管理しておく必要がなく、記念品とその思い出となる画像データとを離散させることなく管理することができる。
【図面の簡単な説明】
【００２１】
【図１】記念品の注文システム１の構成を示す概略図である。
【図２】記念品の注文システム１を構成する記念品注文端末２、受注処理装置３、画像データ記憶手段４、及びバーコードプレート作製装置５の構成の概略を示すブロック図である。
【図３】記念品の注文システム１の利用者特定情報１１を入力して利用者特定情報記憶手段１５に記憶させる手順を示すフローチャートである。
【図４】記念品の注文システム１の記念品２８の注文、並びに画像データ３１の記憶及びバーコードプレート４０が発送されるまでの手順を示すフローチャートである。
【図５】バーコード読取端末４６がバーコードイメージ３９を読み取り、画像データ３１を読み出すまでの手順を示すフローチャートである。
【図６】ステップ１（Ｓ１）において、利用者特定情報１１を入力する画面を示す図である。
【図７】ステップ３（Ｓ３）において、利用者ＩＤ１０を入力する画面を示す図である。
【図８】ステップ６（Ｓ６）において表示されるメニュー画面２４を示す図である。
【図９】ステップ８（Ｓ８）において表示される記念品２８の一覧画面２７を示す図である。
【図１０】ステップ１３（Ｓ１３）において表示される画像データ入力画面３０を示す図である。
【図１１】利用者特定情報１１、記念品情報２９、画像データ３１、及びバーコードプレート４０の相関を示す概略図である。
【図１２】記念品２８ａにバーコードプレート４０を取り付ける様子を示す概略図である。
【図１３】第二の実施の形態における参加者特定情報５２を入力する画面を示す図である。
【発明を実施するための形態】
【００２２】
以下、本発明に係る第一の実施の形態を、図を参照しながら詳しく説明する。
【００２３】
第一の実施の形態において、図１の概略図に示す記念品の注文システム１は、ネットワーク回線Ｗに接続された記念品注文端末２、受注処理装置３、画像データ記憶手段４、及びバーコードプレート作製装置５からなる。
【００２４】
図２は、記念品の注文システム１及びバーコード読取端末４６の電気的構成の概略、並びに記念品の注文システム１と、記念品２８及びバーコードプレート４０との関係を示すブロック図である。なお、記念品の注文システム１は、図２において二点鎖線の枠で示されている。また、図３及び図４は、記念品の注文システム１のフローチャートであり、以下において前記フローチャートに記したステップ番号Ｓ１〜Ｓ２２と共に本発明の構成と処理内容を説明する。
【００２５】
記念品注文端末２は、イベントの企画者６ａが必要な情報を入力することができる入力手段７と、企画者６ａが入力した情報の確認等を行なうことができる表示手段８と、ネットワーク回線Ｗに接続可能なネットワークＩ／Ｆ９とからなる。本実施の形態において、記念品注文端末２はパーソナルコンピュータであり、入力手段７はキーボード及びマウスであり、表示手段８はディスプレイ装置であることが好ましい。企画者６ａは、記念品の注文システム１を利用するにあたって、まず図６に示すような利用者特定情報入力画面において記念品注文端末２に利用者ＩＤ１０を含む利用者特定情報１１を入力して、記念品注文端末２とネットワーク回線Ｗを介して相互接続されている受注処理装置３に送信する（Ｓ１）。
【００２６】
受注処理装置３は、ＣＰＵ１２、ＲＡＭ１３、及びネットワークＩ／Ｆ１４を備え、ＣＰＵ１２は受注処理装置３における各種情報処理を統括的に制御し、ＲＡＭ１３は受注処理装置３を出入する各種情報を一時的に記憶してＣＰＵ１２の情報処理を補助する機能を有するメモリデバイスである。また、受注処理装置３はネットワークＩ／Ｆ１４を介してネットワーク回線Ｗに接続することができる。さらに受注処理装置３は、ＲＡＭ１３とは別のハードディスクデバイスからなる記憶手段に利用者情報記憶手段１５、記念品一覧出力手段１６、記念品情報記憶手段１７、記念品発送指示手段１８、画像データ入力画面出力指示手段１９、画像データ記憶指示手段２０、バーコードイメージ作成手段２１、バーコードプレート作製指示手段２２、及びバーコードプレート発送指示手段２３である情報処理手段を有しており、ＣＰＵ１２からの指令に応じて各情報処理手段が機能する。
【００２７】
記念品注文端末２からネットワーク回線Ｗを介して利用者特定情報１１を初めて受信した受注処理装置３は、利用者特定情報１１を利用者情報記憶手段１５に記憶する（Ｓ２）。本実施の形態においては、企画者６ａが入力した利用者特定情報１１には、利用者ＩＤ１０ａ、企画者６ａの氏名１１Ａａ、及び所在地Ｂａが含まれている。
【００２８】
利用者特定情報１１が利用者情報記憶手段１５に記憶された後、図７に示す利用者ＩＤ入力画面において、企画者６ａが記念品注文端末２に利用者ＩＤ１０ａを入力して受注処理装置３に送信すると（Ｓ３）、受注処理装置３が利用者情報記憶手段１５に記憶されている利用者ＩＤ１０ａと照合を行う（Ｓ４）。受注処理装置３は、利用者ＩＤ１０ａの一致を確認すると（Ｓ５）、図８に示すようなメニュー画面２４を表示手段８に出力する（Ｓ６）。メニュー画面２４には、第一の選択ボタン２５及び第二の選択ボタン２６が設けられておりマウス等の入力手段７を用いて何れか一方のボタンを選択するとソフトウェア上で選択が決定され、新たな画面が受注処理装置３から表示手段８に出力される。ここで、企画者６ａが第一の選択ボタン２５を選択すると（Ｓ７）、受注処理装置３において記念品一覧出力手段１６が作動し、表示手段８に図９に示すような記念品の一覧画面２７が出力される（Ｓ８）。
【００２９】
記念品の一覧画面２７には、記念品２８が複数表示されており、記念品２８ａ、記念品２８ｂ、記念品２８ｃ・・・のうちから選択することができる。企画者６ａは記念品の一覧画面２７から企画者６ａが企画したイベントに最適な記念品２８ａを選択して、選択した記念品２８ａに係る記念品情報２９を受注処理装置３に送信する（Ｓ９）。受注処理装置３は、受信した記念品情報２９を、利用者特定情報１１と関連付けて記念品情報記憶手段１７に記憶すると共に、記念品発送指示手段１８によって利用者特定情報１１から判別した企画者６ａの所在地１１Ｂａに対して記念品２８を発送するための記念品発送指示を出力する（Ｓ１０）。発送された記念品２８は企画者６ａの所在地１１Ｂａまで輸送され、企画者６ａは記念品２８を受け取る（Ｓ１１）。
【００３０】
なお、ステップＳ１〜Ｓ１１において、利用者特定情報１１及び利用者ＩＤ１０を入力して受注処理装置２の利用者情報記憶手段１５に記憶させる操作する者、及び、記念品２８を選択し、記念品情報２９を受注処理装置３に送信する者は参加者６ａであってもよい。この場合、参加者６ｂはイベントにおいて記念品２８の授与を受ける権利を得た後、独自に記念品注文端末２を操作することが好ましい。
【００３１】
次に企画者６ａは、イベントの終了後に、記念品注文端末２に利用者ＩＤ１０ａを入力して受注処理装置３に送信すると（Ｓ３）、受注処理装置３が利用者情報記憶手段１５に記憶されている利用者ＩＤ１０ａと照会を行う（Ｓ４）。受注処理装置３は、利用者ＩＤ１０ａの一致を確認すると（Ｓ５）表示手段８に前記メニュー画面２４を出力する（Ｓ６）。ここで、企画者６ａが第二の選択ボタン２６を選択すると（Ｓ１２）、受注処理装置３において画像データ入力画面出力指示手段１９が作動し、図１０に示すような表示手段８に画像データ入力画面３０が出力される（Ｓ１３）。企画者６ａは、記念品２８ａが授与された参加者６ｂの映像を記録した画像データ３１をあらかじめ記念品注文端末２に保存しておく等して、画像データ入力画面３０において画像データ３１を入力する。なお、入力する画像データ３１は複数あってもよく、図１０に示すように画像データ３１ａ、及び画像データ３１ｂを入力可能としてもよい。画像データ入力画面３０において入力された画像データ３１は受注処理装置３による画像データ記憶指示手段２０によって画像データ記憶手段４に送信される（Ｓ１４）。なお、画像データ入力画面２４の出力操作において、メニュー画面２４に利用者ＩＤ１０ａを入力する者は参加者６ｂであってもよい。
【００３２】
画像データ記憶手段４は、ＣＰＵ３２、ＲＡＭ３３、及びネットワークＩ／Ｆ３４を備え、ＣＰＵ３２は画像データ記憶手段４における各種情報処理を統括的に制御し、ＲＡＭ３３は画像データ記憶手段４を出入する画像データ３１を一時的に記憶してＣＰＵ３２の情報処理を補助する機能を有するメモリデバイスである。また、画像データ記憶手段４はネットワークＩ／Ｆ３４を介してネットワーク回線Ｗに接続することができる。画像データ記憶手段４の内部には、大量の画像データ３１ａ、画像データ３１ｂ、画像データ３１ｃ・・・を記憶することができるハードディスクドライブ（ＨＤＤ）３５が設けられている。なお本実施の形態においては、画像データ記憶手段４は受注処理装置３とネットワーク回線Ｗを解して接続されているが、受注処理装置３の内部ストレージとして設置されていても好ましい。
【００３３】
また、画像データ記憶手段４は、画像データ特定情報作成処理手段３６を備えている。画像データ特定情報作成処理手段３６は、画像データ記憶手段４が受信した画像データ３１をＨＤＤ３５に記憶すると共に、当該記憶された画像データ３１を特定する画像データ特定情報３７を作成する（Ｓ１５）。画像データ特定情報３７も記憶された画像データ３１と関連付けられてＨＤＤ３５に記憶される（Ｓ１６）。画像データ特定情報３７は、画像データ記憶手段４に記憶された画像データ３１のネットワーク上における位置情報を含むものであり、画像データ特定情報３７をＰＣや携帯通信情報端末に入力して送信することによってネットワーク回線Ｗを介して画像データ３１を画像データ記憶手段４から出力させることができるものである。画像データ特定情報３７は、Ｕｎｉｆｏｒｍ  Ｒｅｓｏｕｒｃｅ  Ｌｏｃａｔｏｒ（ＵＲＬ）であることが好ましい。
さらに画像データ特定情報作成処理手段３６は、作成した画像データ特定情報３７を受注処理手段３に送信する。
【００３４】
画像データ記憶手段４から画像データ特定情報３７を受信した受注処理装置３は、バーコードイメージ作成手段２１によって受信した画像データ特定情報３７をバーコードイメージ情報３８に変換する処理を行う（Ｓ１７）。バーコードイメージ情報３８は、画像データ特定情報３７によって特定される画像データ３１のネットワーク上における位置情報をバーコードイメージ３９に変換可能なデジタル情報である。本実施の形態において、バーコードイメージ３９は２次元バーコードである。
【００３５】
バーコードイメージ情報３８を作成した受注処理装置３は、企画者６ａの利用者特定情報１１に関連付けられた前記記念品情報２９に基づいて、前記選択された記念品２８ａに取り付け可能な形状５０ａを備えると共に、前記バーコードイメージ３９を有する図１１に示すようなバーコードプレート４０を作製させるため、バーコードプレート作製指示手段２２によってバーコードプレート作製装置５にバーコードプレート４０の作製を指示する（Ｓ１８）。前記バーコードプレート作製指示手段２２には、受注処理装置３からバーコードプレート作製装置５へのバーコードイメージ情報３８の送信が含まれている。また、形状５０ａに関する情報はバーコードイメージ情報３８内に含まれていてもよく、また、バーコードイメージ情報３８とは別に形状５０ａに関する情報がバーコードプレート作製装置５へ送信されることとしてもよい。
【００３６】
バーコードプレート作製装置５は、制御部４１、作製部４２、及びネットワークＩ／Ｆ４３を備えてなり、ネットワークＩ／Ｆ４３を介して受信したバーコードイメージ情報３８を制御部４１においてバーコードイメージ３９に変換して、当該バーコードイメージ３９を素材プレート上に付加してバーコードプレート４０を作製する（Ｓ１９）。素材プレートは平坦な表面部を備える平板状のプレートであることが好ましく、金属、樹脂、若しくはガラスからなるものが好ましい。バーコードイメージ３９は前記素材プレートの表面部に付加されるが、付加の手法としては印刷、金属プレス加工、エッチング、もしくはレーザーエッチング等を用いることができる。また、バーコードプレート４０は、熱可塑性樹脂を成型することによって表面にバーコードイメージ３９を付加されたものであっても好ましい。バーコードプレート４０の作製が完了したバーコードプレート作製装置５は、制御部４１から受注処理装置３に対して作製完了通知４４を送信する（Ｓ２０）。
【００３７】
バーコードプレート作製装置５から作製完了通知４４を受信した受注処理装置３は、バーコードプレート発送指示手段２３によって（Ｓ２１）、利用者特定情報１１に基づき、作製されたバーコードプレート４０の発送指示を出力することで、企画者６ａはバーコードプレート４０を受け取ることができる（Ｓ２２）。ここで、先に発送された記念品２８ａには、形状５０ａを有するバーコードプレート４０を取り付けるため、形状５０ａに合致する取付枠４５が設けられており、記念品２８ａとバーコードプレート４０を授与された参加者６ｂは、図１２に示すように前記取付枠４５にバーコードプレート４０を取り付けることで、記念品２８ａとバーコードプレート４０とを一体的に保管することが可能となる。
【００３８】
図５は、バーコード読取端末４６がバーコードイメージ３９を読み取り、画像データを読み出すまでの手順Ｓ２３〜Ｓ２６までを示すフローチャートである。
【００３９】
バーコードプレート４０上に付加されたバーコードイメージ３９は、バーコード読取端末４６を用いて読み取ることによって、バーコードイメージ３９を画像データ特定情報３７に変換することができる。バーコード読取端末４６は、カメラ部４７、表示手段４８、及び無線通信Ｉ／Ｆ４９を備えており、携帯電話機などの携帯通信情報端であることが好ましい。バーコードイメージ３９の読み取りは、カメラ部４６によって撮像したバーコードイメージ３９（Ｓ２３）をバーコード読取端末４５内で画像データ特定情報３７に変換することにより行うことができる（Ｓ２４）。バーコード読取端末４５は、変換した画像データ特定情報３７に基づいて画像データ記憶手段４内に記憶されている画像データ３１のネットワーク上の位置を特定し、無線通信Ｉ／Ｆ４９を介して画像データ記憶手段４から画像データ３１を取得し（Ｓ２５）、表示手段４８に画像データ３１を表示させることができる（Ｓ２６）。
【００４０】
また、第二の実施の形態として、前記第一の実施の形態に係る前記ステップ１３（Ｓ１３）において表示手段８に出力される画面が、画像データ入力画面３０の代わりに図１３に示すような参加者特定情報入力欄付き画像データ入力画面５１が出力されるものであってもこのましい。
【００４１】
参加者特定情報入力欄付き画像データ入力画面５１には、画像データ３１に加えて参加者特定情報５２を入力して画像データ３１と共に受注処理手段３に送信することができる。参加者特定情報５２は、参加者６ｂの氏名及び所在地であることが好ましい。参加者特定情報５２を受信した受注処理手段３は、利用者特定情報記憶手段１５に参加者特定情報５２を追加して記憶し、バーコードプレート作製装置５によって作成されたバーコードプレート４０の発送指示を、参加者特定情報５２に基づいて参加者６ｂの所在地に発送されるように出力する。なお、参加者特定情報５２及び画像データ３１は、参加者６ｂが記念品注文端末２に入力して受注処理装置３へ送信することができる。
【００４２】
第二の実施の形態によれば、発送されたバーコードプレート４０を参加者６ｂが直接受け取ることができるため、バーコードプレート４０を企画者６ａから参加者６ｂに転送する手間を省略することができる。
【００４３】
本発明によれば、製作されたバーコードプレート４０は、選択された記念品２８に取り付けて保管することができるため、バーコードプレート４０が取り付けられた記念品２８を手に取れば、その記念品２８が授与されたイベントに関する画像データ３１を確実に閲覧することができる。
【００４４】
また、バーコードプレート４０が取り付けられた記念品２８を自宅の展示棚等に飾っておけば画像データ３１は別途管理しておく必要がなく、記念品２８とその思い出となる画像データ３１とを離散させることなく管理することができる。
【符号の説明】
【００４５】
１  記念品の注文システム
２  記念品注文端末
３  受注処理装置
４  画像データ記憶手段
５  バーコードプレート作製装置
１０  利用者ＩＤ
１１  利用者特定情報
１５  利用者情報記憶手段
１７  記念品情報記憶手段
１８  記念品発送指示手段
２１  バーコードイメージ作成手段
２２  プレート作製指示手段
２３  バーコードプレート発送指示手段
２８  記念品
２９  記念品情報
３１  画像データ
３７  画像データ特定情報
３８  バーコードイメージ情報
３９  バーコードイメージ
４０  バーコードプレート
【図１】
2014222405.tif 000003
【図２】
2014222405.tif 000004
【図３】
2014222405.tif 000005
【図４】
2014222405.tif 000006
【図５】
2014222405.tif 000007
【図６】
2014222405.tif 000008
【図７】
2014222405.tif 000009
【図８】
2014222405.tif 000010
【図９】
2014222405.tif 000011
【図１０】
2014222405.tif 000012
【図１１】
2014222405.tif 000013
【図１２】
2014222405.tif 000014
【図１３】
2014222405.tif 000015